(57)【要約】【課題】  データの記録時およびデータの再生時に、磁気テープカートリッジに収納された磁気テープを、データ記録装置やデータ再生装置などのドライブ内で、所望のように、走行させることができる磁気テープカートリッジの製造方法を提供することを目的とする。【解決手段】  磁気テープ２を、テープリール４のハブ５に巻き付けるのに先立って、ニップローラ９０ａ、９０ｂによって、磁気テープの少なくとも両エッジ部の近傍にプレス処理を施すことを特徴とする磁気テープカートリッジの製造方法。【選択図】      図１
2007122762.tif 000002
【特許請求の範囲】
【請求項１】
磁気テープを、テープリールのハブに巻き付けるのに先立って、前記磁気テープの少なくとも両エッジ部の近傍にプレス処理を施すことを特徴とする磁気テープカートリッジの製造方法。
【請求項２】
ニップローラを用いて、前記磁気テープの少なくとも両エッジ部の近傍にプレス処理を施すことを特徴とする請求項１に記載の磁気テープカートリッジの製造方法。
【請求項３】
前記磁気テープの全面にプレス処理を施すことを特徴とする請求項１または２に記載の磁気テープカートリッジの製造方法。
【発明の詳細な説明】
【技術分野】
【０００１】
本発明は、磁気テープカートリッジの製造方法に関するものであり、さらに詳細には、データの記録時およびデータの再生時に、磁気テープカートリッジに収納された磁気テープを、データ記録装置やデータ再生装置などのドライブ内で、所望のように、走行させることができる磁気テープカートリッジの製造方法に関するものである。
【背景技術】
【０００２】
コンピュータなどのデータバックアップ用の記録媒体として、カートリッジに収納された磁気テープが広く用いられている。
【０００３】
磁気テープ用のカートリッジとしては、単一のテープリールを備えたワンリールタイプの磁気テープカートリッジと、一対のテープリールを備えたツーリールタイプの磁気テープカートリッジとが知られているが、いずれの場合も、磁気テープカートリッジを組立てるにあたっては、広幅の磁気テープを、所望の幅に裁断して、所望の幅に裁断された磁気テープをリールに巻き取り、さらに、磁気テープをリールから繰り出して、カートリッジのテープリールのハブに、磁気テープを巻き取ることが必要である（特開２００１−１４３２５６号公報、特開２００１−２８１７９号公報、特開昭６２−１７５８９１号公報など）。
【特許文献１】特開２００１−１４３２５６号公報
【特許文献２】特開２００１−２８１７９号公報
【特許文献３】特開昭６２−１７５８９１号公報
【発明の開示】
【発明が解決しようとする課題】
【０００４】
しかしながら、このようにして製造された磁気テープカートリッジにおいては、テープリールのハブに巻き取られた磁気テープの両エッジ部の近傍が盛り上がる傾向があり、磁気テープカートリッジから、磁気テープを繰り出して、データを記録する場合、あるいは、記録されたデータを再生する場合に、磁気テープを、データ記録装置やデータ再生装置などのドライブ内で、所望のように走行させることができず、記録エラーや読み取りエラーが生じることがあった。
【０００５】
したがって、本発明は、データの記録時およびデータの再生時に、磁気テープカートリッジに収納された磁気テープを、データ記録装置やデータ再生装置などのドライブ内で、所望のように、走行させることができる磁気テープカートリッジの製造方法を提供することを目的とするものである。
【課題を解決するための手段】
【０００６】
本発明者は、本発明のかかる目的を達成するため、鋭意研究を重ねた結果、所望の幅に裁断された磁気テープが、その両エッジ部がガイド部材によってガイドされつつ、リールに巻き取られ、さらに、リールから繰り出されて、カートリッジのテープリールのハブに巻き取られる過程で、磁気テープの両エッジ部が、磁気テープの巻き取り装置のガイド部材に接触して、損傷されるため、磁気テープカートリッジのテープリールのハブに巻き取られるまでに、磁気テープの両エッジ部の近傍にわずかな盛り上がりが生じ、その結果、テープリールのハブに巻き取られた磁気テープの両エッジ部の近傍が盛り上がる傾向があり、磁気テープの両エッジ部を、データ記録装置やデータ再生装置などのドライブのガイド部材によって、ガイドしつつ、磁気テープカートリッジから繰り出された磁気テープを、ドライブ内を走行させるときに、磁気テープを、所望のように、走行させることができない場合があることを見出した。
【０００７】
本発明は、かかる知見に基づくものであり、本発明の前記目的は、磁気テープを、テープリールのハブに巻き付けるのに先立って、磁気テープの少なくとも両エッジ部の近傍にプレス処理を施すことを特徴とする磁気テープカートリッジの製造方法によって達成される。
【０００８】
本発明によれば、磁気テープを、テープリールのハブに巻き付けるのに先立って、磁気テープの少なくとも両エッジ部の近傍にプレス処理が施されるから、所望の幅に裁断された磁気テープが、その両エッジ部がガイド部材によってガイドされつつ、リールに巻き取られ、さらに、リールから繰り出されて、カートリッジのテープリールのハブに巻き取られる過程で、磁気テープの両エッジ部が、磁気テープの巻き取り装置のガイド部材に接触して、損傷された場合においても、磁気テープカートリッジのテープリールのハブに巻き取られるべき磁気テープの両エッジ部の近傍の盛り上がりを効果的に矯正して、磁気テープの表面を均一化することができ、したがって、磁気テープカートリッジに収納された磁気テープを、データ記録装置やデータ再生装置などのドライブ内で、所望のように、走行させることが可能になる。
【０００９】
本発明において、磁気テープの少なくとも両エッジ部の近傍にプレス処理を施すタイミングは、磁気テープが、所望の幅に裁断された後、テープリールのハブに巻き付けられる前であれば、とくに限定されるものではないが、磁気テープをテープリールのハブに巻き付ける直前に、磁気テープの少なくとも両エッジ部の近傍にプレス処理を施すことが好ましい。
【００１０】
本発明の好ましい実施態様においては、ニップローラを用いて、磁気テープの少なくとも両エッジ部の近傍にプレス処理が施される。
【００１１】
本発明のさらに好ましい実施態様においては、磁気テープの全面にプレス処理が施される。
【発明の効果】
【００１２】
本発明によれば、磁気テープカートリッジに収納された磁気テープを、データ記録装置やデータ再生装置などのドライブ内で、所望のように、走行させることができる磁気テープカートリッジの製造方法を提供することが可能になる。
【発明を実施するための最良の形態】
【００１３】
以下、添付図面に基づいて、本発明の好ましい実施態様につき、詳細に説明を加える。
【００１４】
図１は、本発明の好ましい実施態様にかかる磁気テープの巻き取り装置の略断面図である。
【００１５】
本実施態様にかかる磁気テープの巻き取り装置１は、所望の幅に裁断された磁気テープ２を、所定の長さに切断した後、磁気テープカートリッジのケース３内に組み込まれたテープリール４のハブ５に巻き付けて、巻き取るように構成され、図１に示されるように、所望の幅に裁断された磁気テープ２を繰り出す磁気テープ供給装置１０と、磁気テープ２を、磁気テープカートリッジのケース３内に組み込まれたテープリール４のハブ５に巻き付ける磁気テープ巻き付け装置２０と、磁気テープ供給装置１０から繰り出された磁気テープ２の表面を研磨する表面研磨装置３０と、磁気テープ２の両面にクリーニング処理を施すクリーニング装置４０、４０と、搬送される磁気テープ２の張力を調整する張力調整装置５０と、複数の磁気テープカートリッジのケース３をストックし、１つずつ、磁気テープ巻き付け装置２０に供給する磁気テープカートリッジ供給装置６０と、テープリール４のハブ５に磁気テープ２が巻回された磁気テープカートリッジを排出する磁気テープカートリッジ排出装置７０を備えている。
【００１６】
図１に示されるように、磁気テープの巻き取り装置１は、さらに、磁気テープ２を案内する複数のガイドローラ８０と、磁気テープの搬送方向に対して、磁気テープ巻き付け装置２０の直上流側に配置されたニップローラ９０ａ、９０ｂと、操作盤１００を備えている。
【００１７】
磁気テープ供給装置１０は、所望の幅に裁断された磁気テープ２が巻回された一対のリール１１、１２を備えており、一対のリール１１、１２の一方を、リール駆動手段（図示せず）によって、所定の回転数で回転させ、磁気テープ２を繰り出すように構成されている。このように、磁気テープ供給装置１０は、磁気テープ２が巻回された一対のリール１１、１２を備え、一対のリール１１、１２の一方から、磁気テープ２を繰り出すように構成されているので、磁気テープ２を繰り出していたリール１１、１２の磁気テープ２がなくなったときに、他方のリール１１、１２から、磁気テープ２を繰り出すことができ、磁気テープ２の供給動作を中断することなく、磁気テープ２を連続的に繰り出すことが可能になる。
【００１８】
磁気テープ供給装置１０から繰り出された磁気テープ２は、表面研磨装置３０に送られて、その表面が研磨された後、クリーニング装置４０、４０に送られて、その両面にクリーニング処理が施され、ニップローラ９０ａ、９０ｂに送られる。この過程で、磁気テープ２の張力が適正になるように、張力調整装置５０によって、磁気テープ２の張力が調整される。
【００１９】
図２は、ニップローラ９０ａ、９０ｂの略縦断面図である。
【００２０】
図２に示されるように、ニップローラ９０ａ、９０ｂは、磁気テープ２の搬送路を介して、対向するように配置されており、磁気テープ２の全面にプレス処理を施すように構成されている。
【００２１】
ニップローラ９０ａ、９０ｂによって、その全面にプレス処理が施された磁気テープ２は、磁気テープ巻き付け装置２０に送られる。
【００２２】
磁気テープ巻き付け装置２０は、磁気テープカートリッジ供給装置６０から供給された磁気テープカートリッジを所定の位置に保持する磁気テープカートリッジ保持手段２１と、ニップローラ９０ａ、９０ｂを通過した磁気テープ２を、磁気テープカートリッジ保持手段２１に保持された磁気テープカートリッジのケース３内に搬送するテープ搬送手段２２を備えている。
【００２３】
テープ搬送手段２２は、エアシリンダーなどの駆動手段（図示せず）によって、磁気テープカートリッジ保持手段２１から退避した待機位置と、磁気テープ２の先端部をテープリール４のハブ５の表面に付着させる巻き付け位置との間を移動可能に構成され、また、図示されてはいないが、磁気テープ２の先端部近傍を吸引して、所定の位置に保持する吸引手段と、磁気テープ２の先端部を、テープリール４のハブ５の表面に押し付け、付着させる巻き付け手段を備えており、吸引手段によって、磁気テープ２の先端部近傍を所定の位置に保持しつつ、磁気テープカートリッジ保持手段２１に保持された磁気テープカートリッジのケース３内に搬送して、巻き付け手段によって、磁気テープ２の先端部を、テープリール４のハブ５の表面に付着させるように構成されている。
【００２４】
以上のように構成された本実施態様にかかる磁気テープの巻き取り装置１は、以下のようにして、磁気テープ２を、磁気テープカートリッジのケース３内に組み込まれたテープリール４のハブ５に巻き付ける。
【００２５】
まず、リール駆動手段（図示せず）によって、一対のリール１１、１２の一方が、所定の回転数で回転され、磁気テープカートリッジのケース３内に組み込まれたテープリール４のハブ５に巻き付けるべき磁気テープ２が、磁気テープ供給装置１０から繰り出される。
【００２６】
磁気テープ供給装置１０から繰り出された磁気テープ２は、表面研磨装置３０に送られて、その表面が研磨された後、クリーニング装置４０、４０に送られて、その両面にクリーニング処理が施され、ニップローラ９０ａ、９０ｂに送られる。この際、磁気テープ２の張力が適正になるように、張力調整装置５０によって、磁気テープ２の張力が調整される。
【００２７】
その一方で、磁気テープカートリッジのケース３が、磁気テープカートリッジ供給装置６０によって、磁気テープ巻き付け装置２０に供給され、磁気テープカートリッジ保持手段２１によって、所定の位置に保持される。
【００２８】
図３は、ニップローラ９０ａ、９０ｂに送られる磁気テープ２の略横断面図である。
【００２９】
本発明者に研究によれば、図３に示されるように、磁気テープ２が、所望の幅に裁断された後、ガイドローラ８０などのガイド部材（図示せず）によって、磁気テープ２の両エッジ部がガイドされつつ、リール１１、１２の一方に巻き取られ、リール１１、１２の一方から繰り出されて、ニップローラ９０ａ、９０ｂにまで搬送される間に、ニップローラ９０ａ、９０ｂに送られる磁気テープ２の両エッジ部が、ガイド部材によって、損傷され、両エッジ部の近傍に、わずかな盛り上がり２ａが形成されて場合があることが見出されており、このような盛り上がりが両エッジ部の近傍に形成されたまま、磁気テープ２が、テープリール４のハブ５に巻き取られると、磁気テープカートリッジから、磁気テープ２を繰り出して、データを記録する場合、あるいは、記録されたデータを再生する場合に、磁気テープ２の両エッジ部を、データ記録装置やデータ再生装置などのドライブのガイド部材によって、ガイドしつつ、磁気テープカートリッジから繰り出された磁気テープを、所望のように、ドライブ内を走行させることが困難になることが見出されている。
【００３０】
そこで、本実施態様においては、磁気テープ２が磁気テープ巻き付け装置２０に供給されるのに先立って、磁気テープ２がニップローラ９０ａ、９０ｂ間に供給されて、ニップローラ９０ａ、９０ｂによって、磁気テープ２にプレス処理が施され、磁気テープ２の両エッジ部の近傍に形成された盛り上がりが矯正されて、磁気テープ２の表面が均一化された上で、磁気テープ巻き付け装置２０に供給されるように構成されている。
【００３１】
ニップローラ９０ａ、９０ｂの間を通過した磁気テープ２は、待機位置に位置している磁気テープ巻き付け装置２０に送られる。
【００３２】
磁気テープ巻き付け装置２０に送られた磁気テープ２は、その先端部近傍が、磁気テープ巻き付け装置２０の吸引手段（図示せず）によって、所定の位置に保持される。
【００３３】
次いで、テープリール駆動手段（図示せず）が駆動されて、テープリール４のハブ５が、所定の速度で、回転されるとともに、エアシリンダーなどの駆動手段（図示せず）が駆動されて、磁気テープを保持している磁気テープ巻き付け装置２０が、待機位置から、磁気テープカートリッジ保持手段２１に保持された磁気テープカートリッジのケース３内に送り込まれる。
【００３４】
磁気テープ巻き付け装置２０が、磁気テープカートリッジのケース３内に送り込まれ、磁気テープ巻き付け装置２０の吸引手段によって保持されている磁気テープ２の先端部が、テープリール４のハブ５の表面に対向する巻き付け位置に達すると、エアシリンダーなどの駆動手段の駆動が停止され、付着手段（図示せず）が駆動されて、磁気テープ２の先端部が、テープリール４のハブ５の表面に付着される。
【００３５】
その結果、テープリール４のハブ５が、所定の速度で回転されているため、磁気テープ２が、テープリール４のハブ５に巻き付けられる。
【００３６】
次いで、テープ搬送手段２２が、磁気テープカートリッジのケース３内の巻き付け位置から、待機位置に復帰されると、磁気テープ２のテープリール４のハブ５への巻き付け操作が完了する。
【００３７】
こうして、テープリール４のハブ５に磁気テープ２が巻き付けられ、テープリール４のハブ５の回転にともなって、所定の長さの磁気テープが、テープリール４のハブ５に巻き取られると、磁気テープカートリッジ排出装置７０によって、磁気テープカートリッジが、磁気テープの巻き取り装置１から排出される。
【００３８】
本実施態様によれば、磁気テープ２は、磁気テープ２が磁気テープ巻き付け装置２０に供給されるのに先立って、磁気テープ２がニップローラ９０ａ、９０ｂ間に供給されて、ニップローラ９０ａ、９０ｂによって、磁気テープ２にプレス処理が施されるように構成されているから、磁気テープ２が所望の幅に裁断された後、ガイドローラ８０などのガイド部材（図示せず）によって、磁気テープ２の両エッジ部がガイドされつつ、リール１１、１２の一方に巻き取られ、リール１１、１２の一方から繰り出されて、ニップローラ９０ａ、９０ｂにまで搬送される間に、ガイドローラ８０などのガイド部材によって、磁気テープ２の両エッジ部が損傷され、両エッジ部の近傍に、わずかな盛り上がり２ａが形成されている場合においても、ニップローラ９０ａ、９０ｂによって、磁気テープ２の両エッジ部の近傍に形成された盛り上がりが矯正されて、磁気テープ２の表面が均一化された上で、磁気テープ巻き付け装置２０に供給される。
【００３９】
したがって、磁気テープカートリッジから、磁気テープ２を繰り出して、データを記録する場合、あるいは、記録されたデータを再生する場合に、磁気テープ２の両エッジ部を、データ記録装置やデータ再生装置などのドライブのガイド部材によって、ガイドしつつ、所望のように、ドライブ内を走行させることができ、記録エラーや読み取りエラーが生じることを効果的に防止することが可能になる。
【００４０】
図４は、本発明の好ましい実施態様にかかる磁気テープの巻き取り装置において用いられるニップローラ９０ａ、９０ｂの略縦断面図である。
【００４１】
図４に示されるように、本実施態様にかかる磁気テープの巻き取り装置において用いられるニップローラ９０ａ、９０ｂは、磁気テープ２の搬送路を介して、対向するように配置されており、磁気テープ２の両エッジ部の近傍にプレス処理を施すように構成されている。
【００４２】
本実施態様においては、磁気テープ２がニップローラ９０ａ、９０ｂ間に供給されると、ニップローラ９０ａ、９０ｂによって、磁気テープ２の両エッジ部の近傍にプレス処理が施され、磁気テープ２の両エッジ部の近傍に形成された盛り上がりが矯正されて、磁気テープ２の表面が均一化された上で、磁気テープ巻き付け装置２０に供給される。
【００４３】
したがって、本実施態様においても、磁気テープ２が所望の幅に裁断された後、ガイドローラ８０などのガイド部材（図示せず）によって、磁気テープ２の両エッジ部がガイドされつつ、リール１１、１２の一方に巻き取られ、リール１１、１２の一方から繰り出されて、ニップローラ９０ａ、９０ｂにまで搬送される間に、ガイド部材によって、磁気テープ２の両エッジ部が損傷され、両エッジ部の近傍に、わずかな盛り上がり２ａが形成されている場合においても、ニップローラ９０ａ、９０ｂによって、磁気テープ２の両エッジ部の近傍に形成された盛り上がりが矯正されて、磁気テープ２の表面が均一化された上で、磁気テープ巻き付け装置２０に供給されるから、磁気テープカートリッジから、磁気テープ２を繰り出して、データを記録する場合、あるいは、記録されたデータを再生する場合に、磁気テープ２の両エッジ部を、データ記録装置やデータ再生装置などのドライブのガイド部材によって、ガイドしつつ、所望のように、ドライブ内を走行させることができ、記録エラーや読み取りエラーが生じることを効果的に防止することが可能になる。
【００４４】
本発明は、以上の実施態様に限定されることなく、特許請求の範囲に記載された発明の範囲内で種々の変更が可能であり、それらも本発明の範囲内に包含されるものであることはいうまでもない。
【００４５】
たとえば、図１ないし図３に示された実施態様においては、ニップローラ９０ａ、９０ｂによって、磁気テープ２の全面にプレス処理が施され、図４に示された実施態様においては、ニップローラ９０ａ、９０ｂによって、磁気テープ２の両エッジ部の近傍にプレス処理が施されているが、少なくとも、磁気テープ２の両エッジ部の近傍にプレス処理が施されればよく、磁気テープ２の全面にプレス処理を施し、あるいは、磁気テープ２の両エッジ部の近傍のみにプレス処理を施すことは必ずしも必要でない。
【００４６】
また、図１ないし図３に示された実施態様においては、ニップローラ９０ａ、９０ｂによって、磁気テープ２の全面にプレス処理が施され、図４に示された実施態様においては、ニップローラ９０ａ、９０ｂによって、磁気テープ２の両エッジ部の近傍にプレス処理が施されているが、磁気テープ２にプレス処理を施す手段は、ニップローラ９０ａ、９０ｂに限定されるものではなく、他の手段を用いて、磁気テープ２にプレス処理を施すこともできる。
【図面の簡単な説明】
【００４７】
【図１】図１は、本発明の好ましい実施態様にかかる磁気テープの巻き取り装置の略断面図である。
【図２】図２は、本発明の好ましい実施態様にかかる磁気テープの巻き取り装置において用いられるニップローラの略断面図である。
【図３】図３は、ニップローラに送られる磁気テープの略横断面図である。
【図４】図４は、本発明の別の好ましい実施態様にかかる磁気テープの巻き取り装置において用いられるニップローラの略断面図である。
【符号の説明】
【００４８】
１  磁気テープの巻き取り装置
２  磁気テープ
３  磁気テープカートリッジのケース
４  テープリール
５  テープリールのハブ
１０  磁気テープ供給装置
１１、１２  リール
２０  磁気テープ巻き付け装置
２１  磁気テープカートリッジ保持手段
２２  テープ搬送手段
２３  第一のスポンジ保持部
３０  表面研磨装置
４０  クリーニング装置
５０  張力調整装置
６０  磁気テープカートリッジ供給装置
７０  磁気テープカートリッジ排出装置
８０  ガイドローラ
９０ａ、９０ｂ  ニップローラ
１００  操作盤
【図１】
2007122762.tif 000003
【図２】
2007122762.tif 000004
【図３】
2007122762.tif 000005
【図４】
2007122762.tif 000006